(57)【要約】      （修正有）【課題】使用する際に発生する抵抗力を減らしてスムーズに使用することができるブラシを提供する。【解決手段】ブラシは、握り部１を含む。握り部１は接合端１１を有する。接合端１１には、円柱状本体２が直接延設される。円柱状本体２は、第１の端部２１から第２の端部２２にかけて直接延ばされ、連続した螺旋状植歯帯３を有する。螺旋状植歯帯３上には、少なくとも２列の櫛歯列ａ１，ａ２，ａ３が螺旋状植歯帯３に対応して植設される。円柱状本体２の外周面には、櫛歯が植設されていないスペース帯４が形成される。スペース帯４の幅が櫛歯列ａ１，ａ２，ａ３中の隣り合う２つの櫛歯の間隔より大きい。螺旋状植歯帯３に植設された櫛歯列ａ１，ａ２，ａ３は、それぞれ異なる高さを有する。また螺旋状植歯帯３に植設された櫛歯列ａ１，ａ２，ａ３は、それぞれ螺旋状で互いに平行に形成されてなる。【選択図】図１
0003183832.tif 000002
【実用新案登録請求の範囲】
【請求項１】
握り部を含むブラシであって、
前記握り部は接合端を有し、前記接合端には、円柱状本体が直接延設され、
前記円柱状本体は、第１の端部から第２の端部にかけて直接延ばされ、連続した螺旋状植歯帯を有し、前記螺旋状植歯帯上には、少なくとも２列の櫛歯列が前記螺旋状植歯帯に対応して植設され、前記円柱状本体の外周面には、櫛歯が植設されていないスペース帯が形成され、前記スペース帯の幅が前記櫛歯列中の隣り合う２つの櫛歯の間隔より大きいことを特徴とするブラシ。
【請求項２】
前記螺旋状植歯帯に植設された前記櫛歯列は、それぞれ異なる高さを有することを特徴とする請求項１に記載のブラシ。
【請求項３】
前記螺旋状植歯帯に植設された前記櫛歯列は、それぞれ螺旋状で互いに平行に形成されてなることを特徴とする請求項１に記載のブラシ。
【考案の詳細な説明】
【技術分野】
【０００１】
本考案は、ブラシに関し、特に、髪をカールするために用いるのでなく髪を整えるために用いるブラシに関する。
【背景技術】
【０００２】
日常生活において、髪の毛を整えるために用いる用具には様々なものがあり、そのなかでもブラシはよく利用される用具の一つである。特に髪の毛が長めの女性にとって、櫛は髪の毛を整えるために必要不可欠な道具である。現在市販されている櫛には、様々な種類のものがあるが、基本的に直線状単片体櫛、面状羽根体櫛及び柱状櫛に分けられる。直線状単片体櫛は、持ち手端が延びて等間隔の複数の櫛歯を有する櫛部を含む。羽根状櫛は、持ち手端が延びて縦列及び横列で交錯した面状に複数本の羽根が設けられた櫛部を有する。柱状羽根は、持ち手が延びて柱状周面に植設された複数列の櫛歯を含む櫛部を有する。
【０００３】
しかし、如何なる形態の櫛であっても髪を梳かして整える際、抵抗力が大きいため髪を整えることが容易でない上、櫛の各歯間に髪が纏わりつき、髪の毛が引っ張られて切れてしまう虞があった。その主な原因としては、全ての櫛上の櫛歯が、横列及び縦列に配列され、各櫛歯間の間隔が小さすぎて高密度に交錯されているためであり、設計上理想的でなかった。
【０００４】
また、髪を梳かす際、櫛に生じる抵抗力を減らすために、櫛歯間の間隙を大きくした場合、多くの髪を適宜梳かすことができなくなり、理想的でなかった。そのため、従来、髪を梳かす際櫛に生じる抵抗力が大きく、髪をスムーズに梳かすことができずに髪が絡まったり切れたりしてしまうなど、使用する際の問題点を解決し、使用する際に発生する抵抗力を減らしてスムーズに使用することができる櫛が求められていた。
【先行技術文献】
【特許文献】
【０００５】
【特許文献１】なし
【考案の概要】
【考案が解決しようとする課題】
【０００６】
本考案の主な目的は、柱状本体を有し、本体の外周面に第１の端部から第２の端部にかけて延びて螺旋状を呈する植歯帯が形成され、植歯帯上に少なくとも２つの平行で螺旋状に形成された歯列が植設され、１つの螺旋状植歯帯の本体外周面には、櫛歯が全く植設されておらず、螺旋状を呈するスペース帯が形成され、スペース帯の幅が隣り合う歯列間の間隔より大きく、螺旋状に形成されたスペース帯及び螺旋状植歯帯上に複数の回転歯列を植設した構成により、抵抗力を大幅に減らして髪をスムーズに梳かすことができるブラシを提供することにある。
【０００７】
本考案のもう一つの目的は、本体に形成された螺旋状を呈する植歯帯に、少なくとも２つの互いに隣り合い、平行で螺旋状を呈する歯列が植設され、これら回転歯列のうちの１歯列の櫛歯の高さが他の歯列の櫛歯より高いため、髪の毛を層毎にスムーズに梳かすことができるブラシを提供することにある。
【課題を解決するための手段】
【０００８】
上記課題を解決するために、本考案の第１の形態によれば、握り部を含むブラシであって、前記握り部が接合端を有し、前記接合端には、円柱状本体が直接延設され、前記円柱状本体は、第１の端部から第２の端部にかけて直接延ばされ、連続した螺旋状植歯帯を有し、前記植歯帯上には、少なくとも２列の櫛歯列が前記螺旋状植歯帯に対応して植設され、前記本体の外周面には、櫛歯が植設されていないスペース帯が形成され、前記スペース帯の幅が前記櫛歯列中の隣り合う２つの櫛歯の間隔より大きいことを特徴とするブラシが提供される。
【０００９】
また、前記植歯帯に植設された前記櫛歯列は、それぞれ異なる高さを有することが好ましい。
【００１０】
また、前記植歯帯に植設された前記櫛歯列は、それぞれ螺旋状で互いに平行に形成されてなることが好ましい。
【図面の簡単な説明】
【００１１】
【図１】図１は、本考案の一実施形態に係るブラシを示す斜視図である。
【図２】図２は、本考案の一実施形態に係るブラシを示す平面図である。
【図３】図３は、図２の部分拡大図である。
【図４】図４は、図３の本体の外周面を示す展開図である。
【図５】図５は、図４の部分拡大図である。
【図６】図６は、本考案の一実施形態に係るブラシで髪を梳かすときの状態を示す模式図である。
【図７】図７は、本考案の一実施形態に係るブラシで髪を梳かすときの状態を示す模式図である。
【図８】図８は、本考案の他の実施形態に係るブラシを示す平面図である。
【図９】図９は、図８の部分拡大図である。
【考案を実施するための形態】
【００１２】
以下、本考案の実施形態について図に基づいて説明する。なお、これによって本考案が限定されるものではない。
【００１３】
図１〜図５を参照する。図１〜図５に示すように、本考案の一実施形態に係るブラシは、握り部１を含む。握り部１は接合端１１を有し、接合端１１には、円柱状本体２が直接延設されている。円柱状本体２は、始端部である第１の端部２１から第２の端部２２にかけて直接延び、螺旋状の植歯帯３が連続して形成される。植歯帯３上には、少なくとも２列の櫛歯列が植設される。本実施形態では、互いに平行に配列された櫛歯列ａ１，ａ２，ａ３が螺旋状植歯帯３に形成され、本体２の外周面には、櫛歯が植設されていないスペース帯４が形成されている。スペース帯４の幅Ｗは、配列した櫛歯間の櫛歯列中の２つの互いに隣り合う櫛歯列間の距離Ｙより大きく、同一の櫛歯列中で２つの櫛歯間の間隔である距離Ｘより大きい。即ち、図５に示すように、幅Ｗは、櫛歯ａ１１，ａ１２の距離Ｘ及び櫛歯ａ１１，ａ２１の距離Ｙより大きい。
【００１４】
本実施形態では、植歯帯３に植設された複数の櫛歯列ａ１，ａ２，ａ３が異なる高さを有する。例えば、図８及び図９に示すように、櫛歯列ａ３は、最短ｈ３の高さを有し、櫛歯列ａ２は、中間高さｈ２の高さを有し、櫛歯列ａ１は、最長ｈ１の高さを有する。このような構造により、ユーザが髪の毛を梳いて整えるとき、櫛歯列ａ３により外層の髪を梳き、櫛歯列ａ２により中間層の髪を梳き、櫛歯列ａ１により内層の髪を梳き、髪の深い部分及び浅い部分をスムーズに梳いて髪をきれいに整えることもできる。
【００１５】
髪を梳く際、手は一般にカーブを描くように動き、ユーザが手を上下に動かして弧を描いたり波を描いたりすることが一般的である。図６及び図７に示すように、肘の関節がＡ点で、手首の関節がＢ点で、櫛の第２の端部２２をＣ点とするとユーザがブラシを使用して髪を梳かすとき、図７に示すカーブが描かれる。本実施形態の本体２は、大きめの幅Ｗを有し、スペース帯４が螺旋状に形成されている。弧形を描くように櫛を動かすと、植歯帯３上に設けられた複数の櫛歯列ａ１，ａ２，ａ３が螺旋状を呈しているため、髪がカーブを描くように梳かされ、本実施形態の植歯帯３及びスペース帯４は、螺旋状に形成されている。そのため、髪を櫛で梳かすときに描く弧形線状の動く方向と一致するため、本実施形態の櫛に発生する抵抗力が減り、櫛の動きがスムーズとなり、櫛歯に髪が絡まったり切れたりすることを防ぐことができる。
【００１６】
上述したことから分かるように、本考案のブラシは、円柱型本体２上に螺旋状の植歯帯３が形成される。植歯帯３は、本体２の第１の端部２１から本体２の第２の端部２２にかけて螺旋状に延び、植歯帯３に植設された複数の櫛歯列ａ１，ａ２，ａ３が螺旋状に形成されている。そのため、櫛を使用する際に生じる抵抗力が大幅に減り、櫛の本体２上に大きめの幅Ｗが形成され、螺旋状のスペース帯４が連続して形成されているため、櫛で髪を整える動作がスムーズとなり、髪が絡まったり切れたりすることを防ぐことができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１：握り部
２：本体
３：植歯帯
４：スペース帯
１１：接合端
２１：第１の端部
２２：第２の端部
ａ１：櫛歯列
ａ２：櫛歯列
ａ３：櫛歯列
ａ１１：櫛歯
ａ１２：櫛歯
ａ２１：櫛歯
ｈ１：高さ
ｈ２：高さ
ｈ３：高さ
Ｘ：距離
Ｙ：距離
Ｗ：幅
【図１】
0003183832.tif 000003
【図２】
0003183832.tif 000004
【図３】
0003183832.tif 000005
【図４】
0003183832.tif 000006
【図５】
0003183832.tif 000007
【図６】
0003183832.tif 000008
【図７】
0003183832.tif 000009
【図８】
0003183832.tif 000010
【図９】
0003183832.tif 000011